(57)【要約】  本開示は、プロンプトメッセージを送信するための方法、およびプロンプトメッセージを送信するための装置に関し、インテリジェント家庭用技術の分野に属する。この方法は、ドア／窓センサに対応するドアおよび窓の開閉ステータスを受信するステップと、ドア／窓センサに対応するドアおよび窓の少なくとも１つが開ステータスであるとき、ドア／窓センサと連動された空気清浄機の動作ステータスを取得するステップと、空気清浄機の動作ステータスが開始ステータスであるかどうかを検出するステップと、空気清浄機の動作ステータスが開始ステータスであることが検出された場合、プロンプトメッセージを所定の様式で送信するステップとを含み、プロンプトメッセージが、空気清浄機を含む部屋のドアおよび窓の少なくとも１つを閉鎖する、または空気清浄機を閉鎖するように指示するように構成される。空気清浄機が動作ステータスにあり、部屋のドアおよび窓の少なくとも１つが開いているとネットワーク側デバイスが判断した場合、プロンプトメッセージが送信される。ドアおよび窓の少なくとも１つが開いていることによる空気清浄機の低い浄化効率の問題を解決して、空気清浄機の浄化効率を保証する効果を実現することが可能である。
2017506789.tif 000002
【特許請求の範囲】
【請求項１】
プロンプトメッセージを送信するための方法であって、
ドア／窓センサに対応するドアおよび窓の開閉ステータスを受信するステップと、
前記ドア／窓センサに対応する前記ドアおよび窓の少なくとも１つが開ステータスであるとき、前記ドア／窓センサと連動された空気清浄機の動作ステータスを取得するステップと、
前記空気清浄機の前記動作ステータスが開始ステータスであるかどうかを検出するステップと、
前記空気清浄機の前記動作ステータスが前記開始ステータスであることが検出された場合、前記プロンプトメッセージを所定の様式で送信するステップとを含み、前記プロンプトメッセージが、前記空気清浄機を含む部屋の前記ドアおよび窓の前記少なくとも１つを閉鎖する、または前記空気清浄機を閉鎖するように指示するように構成される
方法。
【請求項２】
前記ドア／窓センサに対応する前記ドアおよび窓の前記開閉ステータスを受信するステップが、
前記ドア／窓センサによって送信された前記ドアおよび窓の前記開閉ステータスを受信するステップ、
前記ドア／窓センサと接続された電子デバイスによってユーザアカウントを介して送信され、前記ドア／窓センサによって取得された前記ドアおよび窓の前記開閉ステータスを受信するステップ、または
前記ドア／窓センサと接続された前記空気清浄機によって送信され、前記ドア／窓センサによって取得される前記ドアおよび窓の前記開閉ステータスを受信するステップ
を含む請求項１に記載の方法。
【請求項３】
前記空気清浄機によって送信された前記空気清浄機の前記動作ステータスを受信するステップ、
前記空気清浄機と接続された前記ドア／窓センサによって送信され、前記空気清浄機によって取得された前記空気清浄機の前記動作ステータスを受信するステップ、または
前記空気清浄機と接続された電子デバイスによってユーザアカウントを介して送信され、前記空気清浄機によって取得された前記空気清浄機の前記動作ステータスを受信するステップ
をさらに含み、
前記動作ステータスが、前記空気清浄機の空気清浄機識別子を含む
請求項１に記載の方法。
【請求項４】
ユーザアカウントを介してアップロードされた空気清浄機識別子およびドア／窓センサ識別子を受信するステップと、
前記ユーザアカウント、前記空気清浄機識別子に対応する前記空気清浄機、および前記ドア／窓センサ識別子に対応する前記ドア／窓センサを一体に連動して、前記ユーザアカウント、前記空気清浄機識別子、および前記ドア／窓センサ識別子を含む連動関係を取得するステップと
をさらに含む請求項１に記載の方法。
【請求項５】
前記ドア／窓センサと連動された前記空気清浄機の前記動作ステータスを取得するステップが、
前記ドア／窓センサの前記ドア／窓センサ識別子を含む前記連動関係を取得するステップと、
前記連動関係から前記空気清浄機識別子を取得するステップと、
前記空気清浄機識別子を有する前記空気清浄機の前記動作ステータスを決定するステップと
を含む請求項４に記載の方法。
【請求項６】
前記所定の様式で前記プロンプトメッセージを送信するステップが、
前記プロンプトメッセージを前記空気清浄機に送信するステップ、
前記空気清浄機と連動された前記ドア／窓センサに前記プロンプトメッセージを送信するステップ、または
前記空気清浄機と連動された前記ユーザアカウントがログインされている電子デバイスに前記プロンプトメッセージを送信するステップ
を含む請求項１に記載の方法。
【請求項７】
第１の閉鎖命令を前記空気清浄機に送信するステップであって、前記第１の閉鎖命令が、前記空気清浄機に、前記空気清浄機の浄化機能を自動的に閉鎖するように指示するように構成されるステップと、
第２の閉鎖命令を前記ドア／窓センサに送信するステップであって、前記第２の閉鎖命令が、前記ドア／窓センサに対応する前記ドアおよび窓の少なくとも１つを閉鎖するように前記ドア／窓センサに指示するように構成されるステップと、
第３の閉鎖命令を前記電子デバイスに送信するステップであって、前記第３の閉鎖命令が、前記空気清浄機を閉鎖するように、または前記ドアおよび窓の前記少なくとも１つを閉鎖するように前記電子デバイスに指示するように構成されるステップと
をさらに含む請求項１〜６のいずれか１項に記載の方法。
【請求項８】
プロンプトメッセージを送信するための装置であって、
ドア／窓センサに対応するドアおよび窓の開閉ステータスを受信するように構成された第１の受信モジュールと、
前記ドア／窓センサに対応する前記ドアおよび窓の少なくとも１つが開ステータスであるとき、前記ドア／窓センサと連動された空気清浄機の動作ステータスを取得するように構成された取得モジュールと、
前記空気清浄機の前記動作ステータスが開始ステータスであるかどうかを検出するように構成された検出モジュールと、
前記空気清浄機の前記動作ステータスが前記開始ステータスであることを前記検出モジュールが検出した場合、前記プロンプトメッセージを所定の様式で送信するように構成された第１の送信モジュールとを備え、前記プロンプトメッセージが、前記空気清浄機を含む部屋の前記ドアおよび窓の前記少なくとも１つを閉鎖する、または前記空気清浄機を閉鎖するように指示するように構成される
装置。
【請求項９】
前記第１の受信モジュールが、
前記ドア／窓センサによって送信された前記ドアおよび窓の前記開閉ステータスを受信するように構成された第１の受信サブモジュール、
前記ドア／窓センサと接続された電子デバイスによってユーザアカウントを介して送信され、前記ドア／窓センサによって取得された前記ドアおよび窓の前記開閉ステータスを受信するように構成された第２の受信サブモジュール、または
前記ドア／窓センサと接続された前記空気清浄機によって送信され、前記ドア／窓センサによって取得された前記ドアおよび窓の前記開閉ステータスを受信するように構成された第３の受信サブモジュール
を備える請求項８に記載の装置。
【請求項１０】
前記空気清浄機によって送信された前記空気清浄機の前記動作ステータスを受信するように構成された第２の受信モジュール、
前記空気清浄機と接続された前記ドア／窓センサによって送信され、前記空気清浄機によって取得された前記空気清浄機の前記動作ステータスを受信するように構成された第３の受信モジュール、または
前記空気清浄機と接続された電子デバイスによってユーザアカウントを介して送信され、前記空気清浄機によって取得された前記空気清浄機の前記動作ステータスを受信するように構成された第４の受信モジュール
をさらに備え、
前記動作ステータスが、前記空気清浄機の空気清浄機識別子を含む
請求項８に記載の装置。
【請求項１１】
ユーザアカウントを介してアップロードされた空気清浄機識別子およびドア／窓センサ識別子を受信するように構成された第５の受信モジュールと、
前記ユーザアカウント、前記空気清浄機識別子に対応する前記空気清浄機、および前記ドア／窓センサ識別子に対応する前記ドア／窓センサを一体に連動して、前記ユーザアカウント、前記空気清浄機識別子、および前記ドア／窓センサ識別子を含む連動関係を取得するように構成された連動モジュールと
をさらに含む請求項８に記載の装置。
【請求項１２】
前記取得モジュールが、
前記ドア／窓センサの前記ドア／窓センサ識別子を含む前記連動関係を取得するように構成された第１の取得サブモジュールと、
前記第１の取得サブモジュールによって取得された前記連動関係から前記空気清浄機識別子を取得するように構成された第２の取得サブモジュールと、
前記第２の取得サブモジュールによって取得された前記空気清浄機識別子を有する前記空気清浄機の前記動作ステータスを決定するように構成される決定サブモジュール
を備える請求項１１に記載の装置。
【請求項１３】
前記第１の送信モジュールが、
前記空気清浄機に前記プロンプトメッセージを送信するように構成された第１の送信サブモジュール、
前記空気清浄機と連動された前記ドア／窓センサに前記プロンプトメッセージを送信するように構成された第２の送信サブモジュール、または
前記空気清浄機と連動された前記ユーザアカウントがログインされている電子デバイスに前記プロンプトメッセージを送信するように構成された第３の送信サブモジュール
を備える請求項８に記載の装置。
【請求項１４】
第１の閉鎖命令を前記空気清浄機に送信するように構成された第２の送信モジュールであって、前記第１の閉鎖命令が、前記空気清浄機の浄化機能を自動的に閉鎖するように前記空気清浄機に指示するように構成された、第２の送信モジュールと、
第２の閉鎖命令を前記ドア／窓センサに送信するように構成された第３の送信モジュールであって、前記第２の閉鎖命令が、前記ドア／窓センサに対応する前記ドアおよび窓の少なくとも１つを閉鎖するように前記ドア／窓センサに指示するように構成された、第３の送信モジュールと、
第３の閉鎖命令を前記電子デバイスに送信するように構成された第４の送信モジュールであって、前記第３の閉鎖命令が、前記空気清浄機を閉鎖するように、または前記ドアおよび窓の前記少なくとも１つを閉鎖するように電子デバイスに指示するように構成された、第４の送信モジュールと
をさらに備える請求項８〜１３のいずれか１項に記載の装置。
【請求項１５】
プロンプトメッセージを送信するための装置であって、
処理装置と、
前記処理装置によって実行可能な命令を記憶するように構成されたメモリと
を備え、
前記処理装置が、
ドア／窓センサに対応するドアおよび窓の開閉ステータスを受信し、
前記ドア／窓センサに対応する前記ドアおよび窓の少なくとも１つが開ステータスであるとき、前記ドア／窓センサと連動された空気清浄機の動作ステータスを取得し、
前記空気清浄機の前記動作ステータスが開始ステータスであるかどうかを検出し、
前記空気清浄機の前記動作ステータスが前記開始ステータスであることが検出された場合、前記プロンプトメッセージを所定の様式で送信するように構成され、前記プロンプトメッセージが、前記空気清浄機を含む部屋の前記ドアおよび窓の前記少なくとも１つを閉鎖する、または前記空気清浄機を閉鎖するように指示するように構成される
装置。
【発明の詳細な説明】
【技術分野】
【０００１】
（関連出願の相互参照）
本出願は、２０１４年１２月２９日出願の中華人民共和国特許出願第２０１４１０８３６８５２．４号に基づき、その優先権を主張するものであり、上記特許出願の内容全体を参照により本明細書に組み込む。
【０００２】
本開示は、インテリジェント家庭用技術の分野に関し、より詳細には、プロンプトメッセージを送信するための方法、およびプロンプトメッセージを送信するための装置に関する。
【背景技術】
【０００３】
空気清浄機は、様々な空気汚染物質（一般に、ＰＭ２．５、花粉、メタナールなどを含む）を吸収、分解、および変換して、空気の清浄性を効果的に改良することができ、したがって、空気清浄機は、家庭でますます広く使用されている。
【０００４】
空気清浄機は、空気を浄化することができるが、空気清浄機が位置されている部屋のドアまたは窓が閉じられていない場合、空気清浄機が長時間動作しても、より良い空気浄化効果を得ることは難しい。
【発明の概要】
【発明が解決しようとする課題】
【０００５】
本開示の実施形態は、関連技術の欠点を解決するために、プロンプトメッセージを送信するための方法、およびプロンプトメッセージを送信するための装置を提供する。
【課題を解決するための手段】
【０００６】
本開示の実施形態の第１の態様によれば、プロンプトメッセージを送信するための方法が提供される。この方法は、ドア／窓センサに対応するドアおよび窓の開閉ステータスを受信するステップと、ドア／窓センサに対応するドアおよび窓の少なくとも１つが開ステータスであるとき、ドア／窓センサと連動された空気清浄機の動作ステータスを取得するステップと、空気清浄機の動作ステータスが開始ステータスであるかどうかを検出するステップと、空気清浄機の動作ステータスが開始ステータスであることが検出された場合、プロンプトメッセージを所定の様式で送信するステップとを含み、プロンプトメッセージが、空気清浄機を含む部屋のドアおよび窓の少なくとも１つを閉鎖する、または空気清浄機を閉鎖するように指示するように構成される。
【０００７】
本開示の実施形態の第２の態様によれば、プロンプトメッセージを送信するための装置が提供される。この装置は、ドア／窓センサに対応するドアおよび窓の開閉ステータスを受信するように構成された第１の受信モジュールと、ドア／窓センサに対応するドアおよび窓の少なくとも１つが開ステータスであるとき、ドア／窓センサと連動された空気清浄機の動作ステータスを取得するように構成された取得モジュールと、空気清浄機の動作ステータスが開始ステータスであるかどうかを検出するように構成された検出モジュールと、空気清浄機の動作ステータスが開始ステータスであることを検出モジュールが検出した場合、プロンプトメッセージを所定の様式で送信するように構成された第１の送信モジュールとを含み、プロンプトメッセージが、空気清浄機を含む部屋のドアおよび窓の少なくとも１つを閉鎖する、または空気清浄機を閉鎖するように指示するように構成される。
【０００８】
本開示の実施形態の第３の態様によれば、プロンプトメッセージを送信するための装置が提供される。この装置は、処理装置と、処理装置によって実行可能な命令を記憶するように構成されたメモリとを備え、処理装置が、ドア／窓センサに対応するドアおよび窓の開閉ステータスを受信し、ドア／窓センサに対応するドアおよび窓の少なくとも１つが開ステータスであるとき、ドア／窓センサと連動された空気清浄機の動作ステータスを取得し、空気清浄機の動作ステータスが開始ステータスであるかどうかを検出し、空気清浄機の動作ステータスが開始ステータスであることが検出された場合、プロンプトメッセージを所定の様式で送信するように構成され、プロンプトメッセージが、空気清浄機を含む部屋のドアおよび窓の少なくとも１つを閉鎖する、または空気清浄機を閉鎖するように指示するように構成される。
【０００９】
本開示の実施形態によれば、この技術的解決策は、以下の効果を含むことができる。
【００１０】
空気清浄機が動作ステータスにあり、空気清浄機が位置されている部屋のドアおよび窓の少なくとも１つが開いているとネットワーク側デバイスが判断した場合に、プロンプトメッセージが送信される。ネットワーク側デバイスは、空気清浄機によってアップロードされる動作ステータス、およびドア／窓センサによってアップロードされるドアおよび窓の開閉ステータスに従って、部屋内の空気清浄機が動作するときに部屋のドアおよび窓の少なくとも１つが開いているかどうか判断することができるので、ネットワーク側デバイスは、ドアおよび窓の少なくとも１つが開いている場合には、ドアおよび窓の少なくとも１つを閉鎖するように、または空気清浄機を閉鎖するように促すことができる。そのようにすると、ドアおよび窓の少なくとも１つが開いていることによる空気清浄機の低い浄化効率の問題を解決して、空気清浄機の浄化効率を保証する効果を実現することができる。
【００１１】
上記の全般的な説明と以下の詳細な説明がどちらも例示的および例説的なものにすぎず、本開示を限定しないことを理解されたい。
【００１２】
本明細書に組み込まれ、本明細書の一部を成す添付図面は、本開示と整合性のある実施形態を示し、本説明と併せて本開示の原理を説明するためのものである。
【図面の簡単な説明】
【００１３】
【図１】いくつかの例示的実施形態によるプロンプトメッセージを送信するための方法に関係付けられる実装環境の概略図である。
【図２】例示的実施形態によるプロンプトメッセージを送信するための方法の流れ図である。
【図３Ａ】例示的実施形態によるプロンプトメッセージを送信するための方法の流れ図である。
【図３Ｂ】例示的実施形態によるドア／窓センサと連動された空気清浄機の動作ステータスを取得する流れ図である。
【図３Ｃ】例示的実施形態による連動関係を記憶する流れ図である。
【図４】例示的実施形態によるプロンプトメッセージを送信するための装置のブロック図である。
【図５】別の例示的実施形態によるプロンプトメッセージを送信するための装置のブロック図である。
【図６】例示的実施形態によるプロンプトメッセージを送信するための装置のブロック図である。
【発明を実施するための形態】
【００１４】
以下、例示的実施形態を詳細に参照する。例示的実施形態のいくつかの例が添付図面に示されている。以下の説明は、添付図面を参照する。添付図面において、異なる図中の同一の番号は、特に断りがない限り、同一または同様の要素を表す。例示的実施形態の以下の説明に記載される実装形態は、本開示と整合性のある全ての実装形態を表すわけではない。そうではなく、それらは、添付の特許請求の範囲に記載されている本開示に関係する態様と整合性のある装置および方法の例にすぎない。
【００１５】
図１は、いくつかの例示的実施形態によるプロンプトメッセージを送信するための方法に関係付けられる実装環境の概略図である。図１に示されるように、実装環境は、空気清浄機１２０と、電子デバイス１４０と、ドア／窓センサ１６０と、ネットワーク側デバイス１８０とを含むことができる。
【００１６】
空気清浄機１２０は、空気を浄化し、空気の質を検出することができる。
【００１７】
電子デバイス１４０は、有線ネットワーク様式または無線ネットワーク様式で（Ｗｉ−Ｆｉ（ワイヤレスフィデリティ）またはＢｌｕｅｔｏｏｔｈ（登録商標）など）、空気清浄機１２０との接続を確立し、接続が確立された後に空気清浄機１２０と対話することができる。本明細書では、電子デバイス１４０は、スマートフォン、タブレットコンピュータ、インテリジェントテレビジョン、電子ブックリーダ、マルチメディアプレーヤ、ラップトップコンピュータ、およびデスクコンピュータを表すことがある。
【００１８】
ドア／窓センサ１６０は、ドアおよび窓に配設され、通常は空気清浄機１２０と同じ部屋内に位置される。ドア／窓センサ１６０は、ドアおよび窓の開閉ステータスを取得し、有線ネットワーク様式または無線ネットワーク様式で空気清浄機１２０との接続を確立し、接続が確立された後に空気清浄機１２０と対話することができる。
【００１９】
ネットワーク側デバイス１８０は、空気清浄機１２０、電子デバイス１４０、およびドア／窓センサ１６０と有線ネットワーク様式または無線ネットワーク様式でそれぞれ接続し、接続が確立された後に、電子デバイス１４０、空気清浄機１２０、およびドア／窓センサ１６０の任意の１つまたは少なくとも１つと対話することができる。本明細書では、ネットワーク側デバイス１８０は、ネットワーク側デバイス（サーバやルータなど）、いくつかのネットワーク側デバイスからなるネットワーク側デバイスグループ、またはクラウドコンピューティングサービスセンサであってよい。例えば、本明細書では、ネットワーク側デバイス１８０は、空気清浄機１２０、電子デバイス１４０、およびドア／窓センサ１６０と同じローカルエリアネットワークに位置されたルータであってよい。
【００２０】
図２は、例示的実施形態によるプロンプトメッセージを送信するための方法の流れ図である。図２に示されるように、この方法は、図１に示される実装環境におけるネットワーク側デバイス１８０に適用され、以下のステップを含む。
【００２１】
ステップ２０１で、ドア／窓センサに対応するドアおよび窓の開閉ステータスが受信される。
【００２２】
ステップ２０２で、ドア／窓センサに対応するドアおよび窓の少なくとも１つが開ステータスであるとき、ドア／窓センサと連動された空気清浄機の動作ステータスが取得される。
【００２３】
ステップ２０３で、空気清浄機の動作ステータスが開始ステータスであるかどうかが検出される。
【００２４】
ステップ２０４で、空気清浄機の動作ステータスが開始ステータスであることが検出された場合、プロンプトメッセージが所定の様式で送信され、ここで、プロンプトメッセージは、空気清浄機を含む部屋のドアおよび窓の少なくとも１つを閉鎖する、または空気清浄機を閉鎖するように指示するように構成される。
【００２５】
結果として、本開示の実施形態に従ってプロンプトメッセージを送信するための方法によって、空気清浄機が動作ステータスにあり、空気清浄機が位置されている部屋のドアおよび窓の少なくとも１つが開いているとネットワーク側デバイスが判断した場合に、プロンプトメッセージが送信される。ネットワーク側デバイスは、空気清浄機によってアップロードされる動作ステータス、およびドア／窓センサによってアップロードされるドアおよび窓の開閉ステータスに従って、部屋内の空気清浄機が動作するときに部屋のドアおよび窓の少なくとも１つが開いているかどうか判断することができるので、ネットワーク側デバイスは、ドアおよび窓の少なくとも１つが開いている場合には、ドアおよび窓の少なくとも１つを閉鎖するように、または空気清浄機を閉鎖するように促すことができる。その結果、ドアおよび窓の少なくとも１つが開いていることによる空気清浄機の低い浄化効率の問題を解決して、空気清浄機の浄化効率を保証する効果を実現することができる。
【００２６】
図３Ａは、別の例示的実施形態によるプロンプトメッセージを送信するための方法の流れ図である。図３Ａに示されるように、この方法は、図１に示される実装環境におけるネットワーク側デバイス１８０に適用され、以下のステップを含む。
【００２７】
ステップ３０１で、ドア／窓センサに対応するドアおよび窓の開閉ステータスが受信される。
【００２８】
ドア／窓センサは、通常はドアおよび窓に位置され、ドアおよび窓の少なくとも１つが開いているか閉じているかを感知することができる。
【００２９】
ドア／窓センサは、ドアおよび窓に位置されずに、例えばドアおよび窓の近くの壁に位置されることもあることは明らかである。そのようにして、ドア／窓センサは、ドア／窓センサが配設されている場所に関係なく、ドアおよび窓の少なくとも１つが開いているか閉じているかを感知することができる。
【００３０】
代替として、ドア／窓センサは、ドア／窓センサに対応するドアおよび窓の少なくとも１つの開閉を制御することができる。
【００３１】
ネットワーク側デバイスは、ドア／窓センサに対応するドアおよび窓の開閉ステータスを受信するとき、ドア／窓センサに対応するドアおよび窓の開閉ステータスを異なる端末から受信することができ、これは通常、以下の３つの状況を含むことがある。
【００３２】
第１の状況では、ドア／窓センサによって送信されたドアおよび窓の開閉ステータスが受信される。本明細書では、開閉ステータスは、開ステータスまたは閉ステータスを表す。
【００３３】
ドア／窓センサは、ドアおよび窓の開閉ステータスが感知された後、ドアおよび窓の開閉ステータスをネットワークを介してネットワーク側デバイスに直接送信することができる。それに対応して、ネットワーク側デバイスは、ドア／窓センサによって送信されたドアおよび窓の開閉ステータスを受信することができる。
【００３４】
代替として、ドア／窓センサは、感知されたドアおよび窓の開閉ステータスをネットワーク側デバイスに送信することに関して、感知されたドアおよび窓の開閉ステータスを所定の時点でネットワーク側デバイスに送信することができる。所定の時点は、所定の時間間隔での対応する時点でよく、またはドア／窓センサがネットワーク側デバイスに接続された後の時点でよい。
【００３５】
代替として、ネットワーク側デバイスはまた、ドア／窓センサによって送信されたドアおよび窓の開閉ステータスを受信したとき、ドア／窓センサによって送信されたドア／窓センサ識別子を受信することもでき、ここで、ドア／窓センサ識別子は、ドア／窓センサを位置特定して識別するように構成される。代替として、ドア／窓センサ識別子は、ドアおよび窓の開閉ステータスと共にネットワーク側デバイスに送信されることができる。代替として、ドア／窓センサ識別子は、開閉ステータスの一部とみなすことができる。すなわち、ネットワーク側デバイスは、ドアおよび窓の開閉ステータスを受信するのと同時にドア／窓センサ識別子を受信することができ、または、ドアおよび窓に対応するドア／窓センサ識別子を含む開閉ステータスのみを受信することができる。
【００３６】
第２の状況では、ドアおよび窓の開閉ステータスが受信され、ここで、開閉ステータスは、ドア／窓センサと接続された電子デバイスによってユーザアカウントを介して送信され、ドア／窓センサによって取得される。
【００３７】
図１に示される環境から、ドア／窓センサを電子デバイスと接続させることができることが分かる。したがって、ドア／窓センサは、ドア／窓センサに対応するドアおよび窓の開閉ステータスを感知した後、ドアおよび窓の開閉ステータスを、ドア／窓センサと接続された電子デバイスに送信することができ、電子デバイスは、ドアおよび窓の開閉ステータスを、ユーザアカウントを介してネットワーク側デバイスに送信する。それに従って、ネットワーク側デバイスは、ドア／窓センサと接続された電子デバイスによってユーザアカウントを介して送信され、ドア／窓センサによって取得されたドアおよび窓の開閉ステータスを受信することができる。
【００３８】
第３の状況では、ドアおよび窓の開閉ステータスが受信され、ここで、開閉ステータスは、ドア／窓センサと接続された空気清浄機によって送信され、ドア／窓センサによって取得される。
【００３９】
図１に示される環境から、ドア／窓センサを空気清浄機と接続させることができることが分かる。したがって、ドア／窓センサは、ドア／窓センサに対応するドアおよび窓の開閉ステータスを感知した後、ドアおよび窓の開閉ステータスを、ドア／窓センサと接続された空気清浄機に送信することができ、空気清浄機は、ドアおよび窓の開閉ステータスを、ネットワークを介してネットワーク側デバイスに送信する。それに従って、ネットワーク側デバイスは、ドア／窓センサと接続された空気清浄機によって送信され、ドア／窓センサによって取得されたドアおよび窓の開閉ステータスを受信することができる。
【００４０】
代替として、空気清浄機はまた、ドアおよび窓の開閉ステータスをネットワーク側デバイスに送信するとき、空気清浄機識別子を送信することもでき、ここで、空気清浄機識別子は、その空気清浄機のみを識別するように構成される。それに対応して、ネットワーク側デバイスはまた、空気清浄機によって送信されたドアおよび窓の開閉ステータスを受信するのと同時に、空気清浄機識別子を受信することもできる。代替として、空気清浄機識別子はさらに、ドアおよび窓の開閉ステータスの一部としてネットワーク側デバイスに送信することもでき、それに従って、ネットワーク側デバイスは、空気清浄機によって送信されたドアおよび窓の開閉ステータスを受信し、ここで、ドアおよび窓の開閉ステータスは、空気清浄機識別子をさらに含むことができる。
【００４１】
代替として、空気清浄機はまた、ドアおよび窓の開閉ステータスをドア／窓センサから取得するとき、ドア／窓センサのドア／窓センサ識別子を取得することもでき、さらに、ドアおよび窓の開閉ステータスをネットワーク側デバイスに送信するとき、ドア／窓センサ識別子と空気清浄機識別子の少なくとも一方をネットワーク側デバイスに送信することができる。それに従って、ネットワーク側デバイスはまた、空気清浄機によって送信されたドアおよび窓の開閉ステータスを受信したとき、ドア／窓センサ識別子と空気清浄機識別子の少なくとも一方を受信することもできる。
【００４２】
すなわち、図１に示される実用環境において、ドア／窓センサは、ドア／窓センサに対応するドアおよび窓の開閉ステータスを感知した後、ドアおよび窓の開閉ステータスをネットワーク側デバイスに直接送信することができ、またはドアおよび窓の開閉ステータスをドア／窓センサと接続された電子デバイスもしくは空気清浄機に送信することができ、次いで、電子デバイスまたは空気清浄機が、ドアおよび窓の開閉ステータスをネットワーク側デバイスに送信する。それに対応して、ネットワーク側デバイスは、ドア／窓センサによって直接送信された、または電子デバイスによってユーザアカウントを介して送信された、または空気清浄機によって送信されたドアおよび窓の開閉ステータスを受信することができる。
【００４３】
ステップ３０２で、空気清浄機の動作ステータスが受信される。
【００４４】
空気清浄機の動作ステータスは、開始されている動作モード、または停止モードでよい。すなわち、空気清浄機の動作ステータスは、空気清浄機が動作しているかどうかを示すように構成される。
【００４５】
図１に示される実用環境によれば、ネットワーク側デバイスは、少なくとも３つの状況で、空気清浄機の動作ステータスを受信することができる。
【００４６】
第１の状況では、空気清浄機によって送信された空気清浄機の動作ステータスが受信される。
【００４７】
空気清浄機は、その動作ステータスをネットワーク側デバイスに直接送信することができ、この場合、空気清浄機が停止モードであるときには、空気清浄機は引き続き停止モードをネットワーク側デバイスに送信することができる。それに対応して、ネットワーク側デバイスは、空気清浄機によって送信された空気清浄機の動作ステータスを受信することができる。
【００４８】
代替として、空気清浄機は、開始されている動作モードと停止モードとの両方において、その動作ステータスをネットワーク側デバイスに送信することができる。
【００４９】
第２の状況では、空気清浄機の動作ステータスが受信され、ここで、動作ステータスは、空気清浄機と接続されたドア／窓センサによって送信され、空気清浄機によって取得される。
【００５０】
空気清浄機は、ドア／窓センサと接続させることができる。ここでは、ドア／窓センサは、空気清浄機を含む部屋のドアおよび窓に位置され、接続された空気清浄機によって送信された空気清浄機の動作ステータスを取得し、空気清浄機の動作ステータスをネットワーク側デバイスに送信することができる。それに従って、ネットワーク側デバイスは、空気清浄機と接続されたドア／窓センサによって送信され、空気清浄機によって取得された空気清浄機の動作ステータスを受信することができる。
【００５１】
第３の状況では、空気清浄機の動作ステータスが受信され、ここで、動作ステータスは、空気清浄機と接続された電子デバイスによってユーザアカウントを介して送信され、空気清浄機によって取得される。
【００５２】
空気清浄機は、電子デバイスと接続させることができる。電子デバイスは、接続された空気清浄機の動作ステータスを取得した後、空気清浄機の動作ステータスをユーザアカウントを介してネットワーク側デバイスに送信する。それに従って、ネットワーク側デバイスは、空気清浄機と接続された電子デバイスによってユーザアカウントを介して送信され、空気清浄機によって取得された空気清浄機の動作ステータスを受信することができる。
【００５３】
ネットワーク側デバイスが、動作ステータスがどの空気清浄機に属するかを知ることができるように、動作ステータスは通常、空気清浄機の空気清浄機識別子を含むことができ、ここで、空気清浄機識別子は、その空気清浄機のみを識別するように構成されることを補足として留意されたい。
【００５４】
ステップ３０３で、ドア／窓センサに対応するドアおよび窓の少なくとも１つが開ステータスであるとき、ドア／窓センサと連動された空気清浄機の動作ステータスが取得される。
【００５５】
ドア／窓センサに対応するドアおよび窓の少なくとも１つが開ステータスであるとき、上記のドアおよび窓を有する部屋の空気清浄機が開始ステータスである場合または開始されている動作モードである場合、特に外部の空気の質が非常に悪いときには空気清浄機の浄化効率が非常に低い。したがって、ドア／窓センサに対応するドアおよび窓の少なくとも１つが開ステータスであるとき、ネットワーク側デバイスは、始動される空気清浄機のエネルギー消費を避けるために、ドア／窓センサと連動された空気清浄機の動作ステータスを取得することができる。
【００５６】
例示的実施形態によるドア／窓センサと連動された空気清浄機の動作ステータスを取得する流れ図である図３Ｂを参照すると、ドア／窓センサと連動された空気清浄機の動作ステータスをネットワーク側デバイスによって取得することは、以下のステップ３０３ａ〜３０３ｃを含むことができる。
【００５７】
ステップ３０３ａで、ドア／窓センサのドア／窓センサ識別子を含む連動関係が取得される。
【００５８】
ドア／窓センサ識別子を含む連動関係は、ネットワーク側デバイスに記憶することができる。連動関係は、少なくとも、互いに連動されたドア／窓センサと空気清浄機を示すように構成された空気清浄機識別子を含む。互いに連動されたドア／窓センサと空気清浄機は通常、浄化すべき同じ部屋または同じ空間内に位置される。
【００５９】
ステップ３０３ｂで、連動関係から空気清浄機識別子が取得される。
【００６０】
ステップ３０３ｃで、空気清浄機識別子を有する空気清浄機の動作ステータスが決定される。
【００６１】
空気清浄機識別子とドア／窓センサ識別子は同じ連動関係に含まれるので、これは、空気清浄機識別子に対応する空気清浄機と、ドア／窓センサ識別子に対応するドアおよび／または窓が、浄化すべき同じ部屋または同じ空間内に位置することを示す。したがって、ドア／窓センサに対応するドアおよび窓の少なくとも１つが開ステータスである場合、浄化すべき同じ部屋または同じ空間内の空気清浄機の動作ステータスを取得することができる。
【００６２】
実用においては、連動関係は、ドア／窓センサと連動された空気清浄機の動作ステータスをネットワーク側デバイスが取得することが可能になる前に記憶される必要がある。ネットワーク側デバイスによって連動関係を記憶するプロセスは、例示的実施形態による連動関係を記憶する流れ図である図３Ｃを参照することができる。図３Ｃで、ネットワーク側デバイスによって連動関係を記憶することは、以下のステップ３０３ｄ〜３０３ｅを含むことがある。
【００６３】
ステップ３０３ｄで、ユーザアカウントを介してアップロードされた空気清浄機識別子およびドア／窓センサ識別子が受信される。
【００６４】
代替実装形態では、電子デバイスは、空気清浄機から取得された空気清浄機識別子と、ドア／窓センサから取得されたドア／窓センサ識別子とを、ユーザアカウントを介してネットワーク側デバイスにアップロードすることができる。それに従って、ネットワーク側デバイスは、ユーザアカウントを介してアップロードされた空気清浄機識別子およびドア／窓センサ識別子を受信することができる。
【００６５】
ステップ３０３ｅで、ユーザアカウント、空気清浄機識別子に対応する空気清浄機、およびドア／窓センサ識別子に対応するドア／窓センサが一体に連動されて、ユーザアカウント、空気清浄機識別子、およびドア／窓センサ識別子を含む連動関係が取得される。
【００６６】
ネットワーク側デバイスが、ユーザアカウントを介してアップロードされた空気清浄機識別子およびドア／窓センサ識別子を受信した後、ユーザアカウントがログインされている電子デバイス、空気清浄機識別子に対応する空気清浄機、およびドア／窓センサ識別子に対応するドア／窓センサが、浄化すべき同じ部屋または空間内に位置されると判断することができる。したがって、ユーザアカウント、空気清浄機識別子に対応する空気清浄機、およびドア／窓センサ識別子に対応するドア／窓センサを一体に連動させて、ユーザアカウント、空気清浄機識別子、およびドア／窓センサ識別子を含む連動関係を取得することが可能である。
【００６７】
一般に、ステップ３０３ａ〜３０３ｃは、ステップ３０３ｄおよび３０３ｅが完了されるまでは実施されない。
【００６８】
ステップ３０４で、空気清浄機の動作ステータスが開始ステータスであるかどうかが検出される。
【００６９】
空気清浄機の動作ステータスは通常、空気清浄機が浄化機能を開始していることを示すように構成された開始ステータスと、空気清浄機が浄化機能を停止していることを示すように構成された停止ステータスとを含む。
【００７０】
ステップ３０５で、空気清浄機の動作ステータスが開始ステータスであることが検出された場合、プロンプトメッセージが所定の様式で送信され、ここで、プロンプトメッセージは、空気清浄機を含む部屋のドアおよび窓の少なくとも１つを閉鎖する、または空気清浄機を閉鎖するように指示するように構成される。
【００７１】
ネットワーク側デバイスは、ドア／窓センサと連動された空気清浄機が動作ステータスであることを検出した場合、空気清浄機の浄化効率が比較的低いことを示す。浄化による資源浪費を避けるために、ネットワーク側デバイスは、所定の様式でユーザにプロンプトメッセージを送信し、これは、以下の３つの状況を含むことができる。
【００７２】
第１の状況では、プロンプトメッセージが空気清浄機に送信される。
【００７３】
ネットワーク側デバイスは、プロンプトメッセージを空気清浄機に直接送信することができ、プロンプトメッセージは、空気清浄機を含む部屋のドアおよび窓の少なくとも１つを閉鎖する、または空気清浄機を閉鎖するように指示するように構成され、それに従って、空気清浄機は、配設された表示画面にプロンプトメッセージを表示することができ、または音声プロンプトメッセージを再生することができ、空気清浄機を含む部屋のドアおよび窓の少なくとも１つを閉鎖するように、または空気清浄機を閉鎖するように促す。
【００７４】
第２の状況では、プロンプトメッセージは、空気清浄機と連動されたドア／窓センサに送信される。
【００７５】
ネットワーク側デバイスは、プロンプトメッセージを、空気清浄機と連動されたドア／窓センサに直接送信することができ、プロンプトメッセージは、空気清浄機を含む部屋のドアおよび窓の少なくとも１つを閉鎖する、または空気清浄機を閉鎖するように指示するように構成され、それに従って、ドア／窓センサは、配設された表示画面にプロンプトメッセージを表示することができ、または音声プロンプトメッセージを再生することができ、空気清浄機を含む部屋のドアおよび窓の少なくとも１つを閉鎖するように、または空気清浄機を閉鎖するように促す。
【００７６】
第３の状況では、プロンプトメッセージは、空気清浄機と連動されたユーザアカウントがログインされている電子デバイスに送信される。
【００７７】
ネットワーク側デバイスは、プロンプトメッセージを、空気清浄機と連動されたユーザアカウントがログインされている電子デバイスに直接送信することができ、プロンプトメッセージは、空気清浄機を含む部屋のドアおよび窓の少なくとも１つを閉鎖する、または空気清浄機を閉鎖するように指示するように構成され、それに従って、電子デバイスは、配設された表示画面にプロンプトメッセージを表示することができ、または音声プロンプトメッセージを再生することができ、空気清浄機を含む部屋のドアおよび窓の少なくとも１つを閉鎖するように、または空気清浄機を閉鎖するように促す。
【００７８】
代替として、ユーザアカウントが電子デバイスにログインされるとき、通常は、電子デバイスの識別子がネットワーク側デバイスにアップロードされ、それに対応して、ネットワーク側デバイスは、ユーザアカウントがログインされている電子デバイスの識別子を記憶することができる。したがって、ネットワーク側デバイスは、空気清浄機と連動されたユーザアカウントがログインされている電子デバイスを識別して、その電子デバイスにプロンプトメッセージを送信することができる。
【００７９】
代替として、ネットワーク側デバイスは、最も効率的にプロンプトメッセージをユーザに送信するために、空気清浄機と連動されたユーザアカウントがログインされている電子デバイスにプロンプトメッセージを送信することができる。
【００８０】
結果として、本開示の実施形態に従ってプロンプトメッセージを送信するための方法によって、空気清浄機が動作ステータスにあり、空気清浄機が位置されている部屋のドアおよび窓の少なくとも１つが開いているとネットワーク側デバイスが判断した場合に、プロンプトメッセージが送信される。ネットワーク側デバイスは、空気清浄機によってアップロードされる動作ステータス、およびドア／窓センサによってアップロードされるドアおよび窓の開閉ステータスに従って、部屋内の空気清浄機が動作するときに部屋のドアおよび窓の少なくとも１つが開いているかどうか判断することができるので、ネットワーク側デバイスは、ドアおよび窓の少なくとも１つが開いている場合には、ドアおよび窓の少なくとも１つを閉鎖するように、または空気清浄機を閉鎖するように促すことができる。その結果、ドアおよび窓の少なくとも１つが開いていることによる空気清浄機の低い浄化効率の問題を解決して、空気清浄機の浄化効率を保証する効果を実現することができる。
【００８１】
さらに、本開示の実施形態によるプロンプトメッセージを送信するための方法によって、ドア／窓センサと、空気清浄機と、電子デバイスにログインされたユーザアカウントとが連動されて、連動関係に従って、開いていたドアおよび／または窓と連動された空気清浄機を見出して、空気清浄機の動作ステータスに従ってプロンプトメッセージを送信するかどうか判断する。その結果、ドアおよび／または窓が開いていることによる空気清浄機の低い浄化効果の問題を解決し、プロンプトメッセージを効率的に送信することを保証することが可能であり、それにより、ユーザは、空気清浄機、または空気清浄機がある部屋のドアおよび窓の少なくとも１つをできるだけ直ちに閉鎖して、空気清浄機の浄化効率を改良することができる。
【００８２】
可能な実装形態では、ドア／窓センサに対応するドアおよび窓の少なくとも１つが開ステータスであり、ドア／窓センサと連動された空気清浄機が動作ステータスであると検出したとき、ネットワーク側デバイスは、空気清浄機を直接制御して停止させ、またはドアおよび窓の少なくとも１つを制御して閉鎖することができ、ユーザが不在である場合もしくはプロンプトメッセージに気付かない場合に空気清浄機またはドアおよび／または窓を直ちに閉鎖することができない状況をなくす。そのような場合には、プロンプトメッセージを送信するための方法は、以下の３つの状況の少なくとも１つを含むことができる。
【００８３】
第１の状況では、第１の閉鎖命令が空気清浄機に送信され、第１の閉鎖命令は、空気清浄機に、それ自体の浄化機能を自動的に閉鎖するように指示するように構成される。
【００８４】
ネットワーク側デバイスは、第１の閉鎖命令を空気清浄機に直接送信することができ、第１の閉鎖命令は、空気清浄機に、空気清浄機の浄化機能を自動的に閉鎖するように指示するように構成され、それに従って、空気清浄機は、第１の閉鎖命令を受信すると、作動中の動作モードを直接停止することができる。
【００８５】
第２の状況では、第２の閉鎖命令がドア／窓センサに送信され、第２の閉鎖命令は、ドア／窓センサに対応するドアおよび窓の少なくとも１つを閉鎖するようにドア／窓センサに指示するように構成される。
【００８６】
ネットワーク側デバイスは、第２の閉鎖命令をドア／窓センサに直接送信することができ、第２の閉鎖命令は、ドア／窓センサに対応するドアおよび窓の少なくとも１つを閉鎖するようにドア／窓センサに指示するように構成され、それに従って、ドア／窓センサは、第２の閉鎖命令を受信すると、ドア／窓センサに対応するドアおよび／または窓を制御して閉鎖させることができる。
【００８７】
第３の状況では、第３の閉鎖命令が電子デバイスに送信され、第３の閉鎖命令は、空気清浄機を閉鎖するように、またはドアおよび窓の少なくとも１つを閉鎖するように電子デバイスに指示するように構成される。
【００８８】
ネットワーク側デバイスは、第３の閉鎖命令を電子デバイスに直接送信することができ、または第３の閉鎖命令をユーザアカウントを介して電子デバイスに送信することができ、第３の閉鎖命令は、空気清浄機を閉鎖するように、またはドアおよび窓の少なくとも１つを閉鎖するように電子デバイスに指示するように構成される。それに対応して、電子デバイスは、第３の閉鎖命令を受信すると、空気清浄機、またはドアおよび窓の少なくとも１つを閉鎖することをユーザに知らせることができる。
【００８９】
結果として、本開示の実施形態によるプロンプトメッセージを送信するための方法によって、ドア／窓センサまたは空気清浄機に閉鎖命令を直接送信することができ、ドアおよび窓の少なくとも１つを閉鎖し、または空気清浄機を自動的に閉鎖し、それにより、ユーザが不在である場合またはプロンプトメッセージに気付かない場合でさえ、空気清浄機またはドアおよび／または窓を自動的に閉鎖することができることが保証され、空気清浄機の浄化効率を改良し、または浄化による資源消費を減少させる。
【００９０】
以下での本開示の装置実施形態は、本開示の方法の実施形態を実行するために使用することができる。本開示の装置実施形態の開示されていない詳細に関して、本開示の方法実施形態を参照することができる。
【００９１】
図４は、例示的実施形態によるプロンプトメッセージを送信するための装置のブロック図である。図４に示されるように、この装置は、図１に示される実装環境におけるネットワーク側デバイス１８０に適用される。この装置は、限定はしないが、第１の受信モジュール４０２と、取得モジュール４０４と、検出モジュール４０６と、第１の送信モジュール４０８とを含む。
【００９２】
第１の受信モジュール４０２は、ドア／窓センサに対応するドアおよび窓の開閉ステータスを受信するように構成される。取得モジュール４０４は、ドア／窓センサに対応するドアおよび窓の少なくとも１つが開ステータスであるとき、ドア／窓センサと連動された空気清浄機の動作ステータスを取得するように構成される。検出モジュール４０６は、空気清浄機の動作ステータスが開始ステータスであるかどうかを検出するように構成される。第１の送信モジュール４０８は、空気清浄機の動作ステータスが開始ステータスであることを検出モジュール４０６が検出した場合、プロンプトメッセージを所定の様式で送信するように構成され、ここで、プロンプトメッセージは、空気清浄機を含む部屋のドアおよび窓の少なくとも１つを閉鎖する、または空気清浄機を閉鎖するように指示するように構成される。
【００９３】
結果として、本開示の実施形態に従ってプロンプトメッセージを送信するための装置によって、空気清浄機が動作ステータスにあり、空気清浄機が位置されている部屋のドアおよび窓の少なくとも１つが開いているとネットワーク側デバイスが判断した場合に、プロンプトメッセージが送信される。ネットワーク側デバイスは、空気清浄機によってアップロードされる動作ステータス、およびドア／窓センサによってアップロードされるドアおよび窓の開閉ステータスに従って、部屋内の空気清浄機が動作するときに部屋のドアおよび窓の少なくとも１つが開いているかどうか判断することができるので、ネットワーク側デバイスは、ドアおよび窓が開いている場合には、ドアおよび窓の少なくとも１つを閉鎖するように、または空気清浄機を閉鎖するように促すことができる。その結果、ドアおよび窓の少なくとも１つが開いていることによる空気清浄機の低い浄化効率の問題を解決して、空気清浄機の浄化効率を保証する効果を実現することができる。
【００９４】
図５は、別の例示的実施形態によるプロンプトメッセージを送信するための装置のブロック図である。図５に示されるように、この装置は、図１に示される実装環境におけるネットワーク側デバイス１８０に適用される。この装置は、限定はしないが、第１の受信モジュール５０２と、取得モジュール５０４と、検出モジュール５０６と、第１の送信モジュール５０８とを含む。
【００９５】
第１の受信モジュール５０２は、ドア／窓センサに対応するドアおよび窓の開閉ステータスを受信するように構成される。取得モジュール５０４は、ドア／窓センサに対応するドアおよび窓の少なくとも１つが開ステータスであるとき、ドア／窓センサと連動された空気清浄機の動作ステータスを取得するように構成される。検出モジュール５０６は、空気清浄機の動作ステータスが開始ステータスであるかどうかを検出するように構成される。第１の送信モジュール５０８は、空気清浄機の動作ステータスが開始ステータスであることを検出モジュール５０６が検出した場合、プロンプトメッセージを所定の様式で送信するように構成され、ここで、プロンプトメッセージは、空気清浄機を含む部屋のドアおよび窓の少なくとも１つを閉鎖する、または空気清浄機を閉鎖するように指示するように構成される。
【００９６】
代替実装形態では、第１の受信モジュール５０２は、第１の受信サブモジュール５０２ａ、第２の受信サブモジュール５０２ｂ、または第３の受信サブモジュール５０２ｃを含むことがある。第１の受信サブモジュール５０２ａは、ドア／窓センサによって送信されたドアおよび窓の開閉ステータスを受信するように構成される。第２の受信サブモジュール５０２ｂは、ドア／窓センサと接続された電子デバイスによってユーザアカウントを介して送信され、ドア／窓センサによって取得されたドアおよび窓の開閉ステータスを受信するように構成される。第３の受信サブモジュール５０２ｃは、ドア／窓センサと接続された空気清浄機によって送信され、ドア／窓センサによって取得されたドアおよび窓の開閉ステータスを受信するように構成される。
【００９７】
代替実装形態では、装置はさらに、第２の受信モジュール５１０、第３の受信モジュール５１２、または第４の受信モジュール５１４を含むことがある。
【００９８】
第２の受信モジュール５１０は、空気清浄機によって送信された空気清浄機の動作ステータスを受信するように構成される。第３の受信モジュール５１２は、空気清浄機と接続されたドア／窓センサによって送信され、空気清浄機によって取得された空気清浄機の動作ステータスを受信するように構成される。第４の受信モジュール５１４は、空気清浄機と接続された電子デバイスによってユーザアカウントを介して送信され、空気清浄機によって取得された空気清浄機の動作ステータスを受信するように構成される。動作ステータスは、空気清浄機の空気清浄機識別子を含む。
【００９９】
代替実装形態では、装置はさらに、第５の受信モジュール５１６および連動モジュール５１８を含むことがある。
【０１００】
第５の受信モジュール５１６は、ユーザアカウントを介してアップロードされた空気清浄機識別子およびドア／窓センサ識別子を受信するように構成される。連動モジュール５１８は、ユーザアカウント、空気清浄機識別子に対応する空気清浄機、およびドア／窓センサ識別子に対応するドア／窓センサを一体に連動して、ユーザアカウント、空気清浄機識別子、およびドア／窓センサ識別子を含む連動関係を取得するように構成される。
【０１０１】
代替実装形態では、取得モジュール５０４は、第１の取得サブモジュール５０４ａ、第２の取得サブモジュール５０４ｂ、および決定サブモジュール５０４ｃを含むことができる。
【０１０２】
第１の取得サブモジュール５０４ａは、ドア／窓センサのドア／窓センサ識別子を含む連動関係を取得するように構成される。第２の取得サブモジュール５０４ｂは、第１の取得サブモジュール５０４ａによって取得された連動関係から空気清浄機識別子を取得するように構成される。決定サブモジュール５０４ｃは、第２の取得サブモジュール５０４ｂによって取得された空気清浄機識別子を有する空気清浄機の動作ステータスを決定するように構成される。
【０１０３】
代替実装形態では、第１の送信モジュール５０８は、第１の送信サブモジュール５０８ａ、第２の送信サブモジュール５０８ｂ、または第３の送信サブモジュール５０８ｃを含むことができる。
【０１０４】
第１の送信サブモジュール５０８ａは、空気清浄機にプロンプトメッセージを送信するように構成される。第２の送信サブモジュール５０８ｂは、空気清浄機と連動されたドア／窓センサにプロンプトメッセージを送信するように構成される。第３の送信サブモジュール５０８ｃは、空気清浄機と連動されたユーザアカウントがログインされている電子デバイスにプロンプトメッセージを送信するように構成される。
【０１０５】
代替実装形態では、装置はさらに、第２の送信モジュール５２０、第３の送信モジュール５２２、および第４の送信モジュール５２４を含むことがある。
【０１０６】
第２の送信モジュール５２０は、第１の閉鎖命令を空気清浄機に送信するように構成され、ここで、第１の閉鎖命令は、空気清浄機の浄化機能を自動的に閉鎖するように空気清浄機に指示するように構成される。第３の送信モジュール５２２は、第２の閉鎖命令をドア／窓センサに送信するように構成され、ここで、第２の閉鎖命令は、ドア／窓センサに対応するドアおよび窓の少なくとも１つを閉鎖するようにドア／窓センサに指示するように構成される。第４の送信モジュール５２４は、第３の閉鎖命令を電子デバイスに送信するように構成され、第３の閉鎖命令は、空気清浄機を閉鎖するように、またはドアおよび窓の少なくとも１つを閉鎖するように電子デバイスに指示するように構成される。
【０１０７】
結果として、本開示の実施形態に従ってプロンプトメッセージを送信するための装置によって、空気清浄機が動作ステータスにあり、空気清浄機が位置されている部屋のドアおよび窓の少なくとも１つが開いているとネットワーク側デバイスが判断した場合に、プロンプトメッセージが送信される。ネットワーク側デバイスは、空気清浄機によってアップロードされる動作ステータス、およびドア／窓センサによってアップロードされるドアおよび窓の開閉ステータスに従って、部屋内の空気清浄機が動作するときに部屋のドアおよび窓の少なくとも１つが開いているかどうか判断することができるので、ネットワーク側デバイスは、ドアおよび窓の少なくとも１つが開いている場合には、ドアおよび窓の少なくとも１つを閉鎖するように、または空気清浄機を閉鎖するように促すことができる。その結果、ドアおよび窓の少なくとも１つが開いていることによる空気清浄機の低い浄化効率の問題を解決して、空気清浄機の浄化効率を保証する効果を実現することができる。
【０１０８】
さらに、本開示の実施形態によるプロンプトメッセージを送信するための装置によって、ドア／窓センサと、空気清浄機と、電子デバイスにログインされたユーザアカウントとが連動されて、連動関係に従って、開いていたドアおよび／または窓と連動された空気清浄機を見出して、空気清浄機の動作ステータスに従ってプロンプトメッセージを送信するかどうか判断する。その結果、ドアおよび／または窓が開いていることによる空気清浄機の低い浄化効果の問題を解決し、プロンプトメッセージを効率的に送信することを保証することが可能であり、それにより、ユーザは、空気清浄機、または空気清浄機がある部屋のドアおよび窓をできるだけ直ちに閉鎖して、空気清浄機の浄化効率を改良することができる。
【０１０９】
本開示の実施形態によるプロンプトメッセージを送信するための装置は、ドア／窓センサまたは空気清浄機に閉鎖命令を直接送信することができ、ドアおよび窓の少なくとも１つを閉鎖し、または空気清浄機を自動的に閉鎖し、それにより、ユーザが不在である場合またはプロンプトメッセージに気付かない場合でさえ、空気清浄機またはドアおよび／または窓を自動的に閉鎖することができ、空気清浄機の浄化効率を改良し、または浄化による資源消費を減少させる。
【０１１０】
上記の実施形態での装置に関して、装置における個々のモジュールに関する操作を実施するための特定の様式を、プロンプトメッセージ（本明細書では詳述しない）を送信するための方法に関するいくつかの実施形態で詳細に述べてきた。
【０１１１】
プロンプトメッセージを送信するための装置は、本開示の例示的実施形態によって提供され、本開示によるプロンプトメッセージを送信するための方法を実現することができる。この装置は、処理装置と、処理装置によって実行可能な命令を記憶するように構成されたメモリとを備え、処理装置が、ドア／窓センサに対応するドアおよび窓の開閉ステータスを受信し、ドア／窓センサに対応するドアおよび窓の少なくとも１つが開ステータスであるとき、ドア／窓センサと連動された空気清浄機の動作ステータスを取得し、空気清浄機の動作ステータスが開始ステータスであるかどうかを検出し、空気清浄機の動作ステータスが開始ステータスであることが検出された場合、プロンプトメッセージを所定の様式で送信するように構成され、プロンプトメッセージが、空気清浄機を含む部屋のドアおよび窓の少なくとも１つを閉鎖する、または空気清浄機を閉鎖するように指示するように構成される。
【０１１２】
図６は、例示的実施形態によるプロンプトメッセージを送信するための装置のブロック図である。例えば、装置６００は、ネットワーク側デバイスとして提供することができる。図６を参照すると、装置６００は、１つまたは複数の処理装置をさらに含む処理構成要素６０２と、メモリ資源とを含み、メモリ資源は、メモリ６０４によって表され、処理構成要素６０２によって実行可能な命令、例えばアプリケーションプログラムを記憶するように構成される。メモリ６０４に記憶されたアプリケーションプログラムは、１群の命令にそれぞれ対応する１つまたは複数のモジュールを含むことがある。さらに、処理構成要素６０２は、上述したプロンプトメッセージを送信するための方法を実施するために命令を実行するように構成される。
【０１１３】
装置６００は、さらに、装置６００の電力管理を実行するように構成された電力構成要素６０６と、装置６００をネットワークに接続するように構成された有線または無線ネットワークインターフェース６０８と、入出力（Ｉ／Ｏ）インターフェース６１０とを含むことができる。装置６００は、Ｗｉｎｄｏｗｓ  Ｓｅｒｖｅｒ（登録商標）、Ｍａｃ  ＯＳ  Ｘ（登録商標）、Ｕｎｉｘ（登録商標）、Ｌｉｎｕｘ（登録商標）、ＦｒｅｅＢＳＤ（登録商標）など、メモリ６０４に記憶されたオペレーティングシステムを動作させることができる。
【０１１４】
本開示の他の実施形態は、本明細書、および本明細書で開示される開示内容の実践を考察すれば当業者には明らかであろう。本出願は、当技術分野で既知または慣例の実践において生じるような本開示からの逸脱を含め、本出願の全般的な原理に従う本開示の任意の変形、使用、または適用を網羅するものと意図される。本明細書および例は、単に例とみなされるものと意図されており、本開示の真の範囲および精神は、添付の特許請求の範囲によって示される。
【０１１５】
本開示は、上述して添付図面に示した通りの構成に限定されず、その範囲から逸脱することなく様々な修正および変更を施すことができることを理解されたい。本開示の範囲は、添付の特許請求の範囲によってのみ限定されるものと意図される。
【図６】
2017506789.tif 000003
【図１】
2017506789.tif 000004
【図２】
2017506789.tif 000005
【図３Ａ】
2017506789.tif 000006
【図３Ｂ】
2017506789.tif 000007
【図３Ｃ】
2017506789.tif 000008
【図４】
2017506789.tif 000009
【図５】
2017506789.tif 000010
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
プロンプトメッセージを送信するための方法であって、
ドア／窓センサに対応するドアおよび窓の開閉ステータスを受信するステップと、
前記ドア／窓センサに対応する前記ドアおよび窓の少なくとも１つが開ステータスであるとき、前記ドア／窓センサと連動された空気清浄機の動作ステータスを取得するステップと、
前記空気清浄機の前記動作ステータスが開始ステータスであるかどうかを検出するステップと、
前記空気清浄機の前記動作ステータスが前記開始ステータスであることが検出された場合、前記プロンプトメッセージを所定の様式で送信するステップとを含み、前記プロンプトメッセージが、前記空気清浄機を含む部屋の前記ドアおよび窓の前記少なくとも１つを閉鎖する、または前記空気清浄機を閉鎖するように指示するように構成される
方法。
【請求項２】
前記ドア／窓センサに対応する前記ドアおよび窓の前記開閉ステータスを受信するステップが、
前記ドア／窓センサによって送信された前記ドアおよび窓の前記開閉ステータスを受信するステップ、
前記ドア／窓センサと接続された電子デバイスによってユーザアカウントを介して送信され、前記ドア／窓センサによって取得された前記ドアおよび窓の前記開閉ステータスを受信するステップ、または
前記ドア／窓センサと接続された前記空気清浄機によって送信され、前記ドア／窓センサによって取得される前記ドアおよび窓の前記開閉ステータスを受信するステップ
を含む請求項１に記載の方法。
【請求項３】
前記空気清浄機によって送信された前記空気清浄機の前記動作ステータスを受信するステップ、
前記空気清浄機と接続された前記ドア／窓センサによって送信され、前記空気清浄機によって取得された前記空気清浄機の前記動作ステータスを受信するステップ、または
前記空気清浄機と接続された電子デバイスによってユーザアカウントを介して送信され、前記空気清浄機によって取得された前記空気清浄機の前記動作ステータスを受信するステップ
をさらに含み、
前記動作ステータスが、前記空気清浄機の空気清浄機識別子を含む
請求項１又は２に記載の方法。
【請求項４】
ユーザアカウントを介してアップロードされた空気清浄機識別子およびドア／窓センサ識別子を受信するステップと、
前記ユーザアカウント、前記空気清浄機識別子に対応する前記空気清浄機、および前記ドア／窓センサ識別子に対応する前記ドア／窓センサを一体に連動して、前記ユーザアカウント、前記空気清浄機識別子、および前記ドア／窓センサ識別子を含む連動関係を取得するステップと
をさらに含む請求項１〜３のいずれか１項に記載の方法。
【請求項５】
前記ドア／窓センサと連動された前記空気清浄機の前記動作ステータスを取得するステップが、
前記ドア／窓センサの前記ドア／窓センサ識別子を含む前記連動関係を取得するステップと、
前記連動関係から前記空気清浄機識別子を取得するステップと、
前記空気清浄機識別子を有する前記空気清浄機の前記動作ステータスを決定するステップと
を含む請求項４に記載の方法。
【請求項６】
前記所定の様式で前記プロンプトメッセージを送信するステップが、
前記プロンプトメッセージを前記空気清浄機に送信するステップ、
前記空気清浄機と連動された前記ドア／窓センサに前記プロンプトメッセージを送信するステップ、または
前記空気清浄機と連動された前記ユーザアカウントがログインされている電子デバイスに前記プロンプトメッセージを送信するステップ
を含む請求項１〜５のいずれか１項に記載の方法。
【請求項７】
第１の閉鎖命令を前記空気清浄機に送信するステップであって、前記第１の閉鎖命令が、前記空気清浄機に、前記空気清浄機の浄化機能を自動的に閉鎖するように指示するように構成されるステップと、
第２の閉鎖命令を前記ドア／窓センサに送信するステップであって、前記第２の閉鎖命令が、前記ドア／窓センサに対応する前記ドアおよび窓の少なくとも１つを閉鎖するように前記ドア／窓センサに指示するように構成されるステップと、
第３の閉鎖命令を前記電子デバイスに送信するステップであって、前記第３の閉鎖命令が、前記空気清浄機を閉鎖するように、または前記ドアおよび窓の前記少なくとも１つを閉鎖するように前記電子デバイスに指示するように構成されるステップと
をさらに含む請求項１〜６のいずれか１項に記載の方法。
【請求項８】
プロンプトメッセージを送信するための装置であって、
ドア／窓センサに対応するドアおよび窓の開閉ステータスを受信するように構成された第１の受信モジュールと、
前記ドア／窓センサに対応する前記ドアおよび窓の少なくとも１つが開ステータスであるとき、前記ドア／窓センサと連動された空気清浄機の動作ステータスを取得するように構成された取得モジュールと、
前記空気清浄機の前記動作ステータスが開始ステータスであるかどうかを検出するように構成された検出モジュールと、
前記空気清浄機の前記動作ステータスが前記開始ステータスであることを前記検出モジュールが検出した場合、前記プロンプトメッセージを所定の様式で送信するように構成された第１の送信モジュールとを備え、前記プロンプトメッセージが、前記空気清浄機を含む部屋の前記ドアおよび窓の前記少なくとも１つを閉鎖する、または前記空気清浄機を閉鎖するように指示するように構成される
装置。
【請求項９】
前記第１の受信モジュールが、
前記ドア／窓センサによって送信された前記ドアおよび窓の前記開閉ステータスを受信するように構成された第１の受信サブモジュール、
前記ドア／窓センサと接続された電子デバイスによってユーザアカウントを介して送信され、前記ドア／窓センサによって取得された前記ドアおよび窓の前記開閉ステータスを受信するように構成された第２の受信サブモジュール、または
前記ドア／窓センサと接続された前記空気清浄機によって送信され、前記ドア／窓センサによって取得された前記ドアおよび窓の前記開閉ステータスを受信するように構成された第３の受信サブモジュール
を備える請求項８に記載の装置。
【請求項１０】
前記空気清浄機によって送信された前記空気清浄機の前記動作ステータスを受信するように構成された第２の受信モジュール、
前記空気清浄機と接続された前記ドア／窓センサによって送信され、前記空気清浄機によって取得された前記空気清浄機の前記動作ステータスを受信するように構成された第３の受信モジュール、または
前記空気清浄機と接続された電子デバイスによってユーザアカウントを介して送信され、前記空気清浄機によって取得された前記空気清浄機の前記動作ステータスを受信するように構成された第４の受信モジュール
をさらに備え、
前記動作ステータスが、前記空気清浄機の空気清浄機識別子を含む
請求項８又は９に記載の装置。
【請求項１１】
ユーザアカウントを介してアップロードされた空気清浄機識別子およびドア／窓センサ識別子を受信するように構成された第５の受信モジュールと、
前記ユーザアカウント、前記空気清浄機識別子に対応する前記空気清浄機、および前記ドア／窓センサ識別子に対応する前記ドア／窓センサを一体に連動して、前記ユーザアカウント、前記空気清浄機識別子、および前記ドア／窓センサ識別子を含む連動関係を取得するように構成された連動モジュールと
をさらに含む請求項８〜１０のいずれか１項に記載の装置。
【請求項１２】
前記取得モジュールが、
前記ドア／窓センサの前記ドア／窓センサ識別子を含む前記連動関係を取得するように構成された第１の取得サブモジュールと、
前記第１の取得サブモジュールによって取得された前記連動関係から前記空気清浄機識別子を取得するように構成された第２の取得サブモジュールと、
前記第２の取得サブモジュールによって取得された前記空気清浄機識別子を有する前記空気清浄機の前記動作ステータスを決定するように構成される決定サブモジュール
を備える請求項１１に記載の装置。
【請求項１３】
前記第１の送信モジュールが、
前記空気清浄機に前記プロンプトメッセージを送信するように構成された第１の送信サブモジュール、
前記空気清浄機と連動された前記ドア／窓センサに前記プロンプトメッセージを送信するように構成された第２の送信サブモジュール、または
前記空気清浄機と連動された前記ユーザアカウントがログインされている電子デバイスに前記プロンプトメッセージを送信するように構成された第３の送信サブモジュール
を備える請求項８〜１２のいずれか１項に記載の装置。
【請求項１４】
第１の閉鎖命令を前記空気清浄機に送信するように構成された第２の送信モジュールであって、前記第１の閉鎖命令が、前記空気清浄機の浄化機能を自動的に閉鎖するように前記空気清浄機に指示するように構成された、第２の送信モジュールと、
第２の閉鎖命令を前記ドア／窓センサに送信するように構成された第３の送信モジュールであって、前記第２の閉鎖命令が、前記ドア／窓センサに対応する前記ドアおよび窓の少なくとも１つを閉鎖するように前記ドア／窓センサに指示するように構成された、第３の送信モジュールと、
第３の閉鎖命令を前記電子デバイスに送信するように構成された第４の送信モジュールであって、前記第３の閉鎖命令が、前記空気清浄機を閉鎖するように、または前記ドアおよび窓の前記少なくとも１つを閉鎖するように電子デバイスに指示するように構成された、第４の送信モジュールと
をさらに備える請求項８〜１３のいずれか１項に記載の装置。
【請求項１５】
請求項１〜７のいずれか１項に記載のプロンプトメッセージを送信するための方法を、コンピュータで実行時に前記コンピュータに実行させるためのコンピュータプログラム。
【請求項１６】
請求項１５に記載のコンピュータプログラムが格納されたコンピュータ可読記憶媒体。
【国際調査報告】
2017506789.tif 000011
2017506789.tif 000012
2017506789.tif 000013
2017506789.tif 000014